(57)【要約】【課題】広い範囲に渡って広がり感のある音像を得る。【解決手段】共鳴管としてのパイプ１０２がベース筐体１０１の上面側に固定されている。スピーカユニット１０４は、ベース筐体１０１の下面側の開口部１０５に対応した位置に、下方に前面を向けた状態で取り付けられている。ユニット１０４の前面から出力される正相の音波は、ベース筐体１０１の下面側から外部に放射される。また、このユニット１０４の背面から出力される逆相の音波は、開口部１０５およびパイプ１０２を通って、パイプ１０２の上端部側から外部に放射される。パイプ１０２の長手方向の各位置で均一な音圧を感じることができ、パイプ１０２の長手方向の全体に渡って音像を定位させることができ、従って広がり感のある音像を得ることができる。【選択図】        図１
2007214917.tif 000002
【特許請求の範囲】
【請求項１】
筒状部材と、
上記筒状部材と同軸的に配置され、音声信号に基づいて駆動される発音体とを備え、
上記発音体から得られる音波を、上記筒状部材の一端側および他端側から放射する
ことを特徴とするスピーカ装置。
【請求項２】
上記筒状部材の内部にそれぞれ軸方向に伸びる複数本の貫通孔が形成されており、
複数個の上記発音体がそれぞれ上記複数本の貫通孔と同軸的に配置されている
ことを特徴とする請求項１に記載のスピーカ装置。
【請求項３】
上記複数本の貫通孔のうち、一部の貫通孔は上記筒状部材の中央部に配され、その他の貫通孔は該中央部に配された貫通孔の周囲に配されている
ことを特徴とする請求項２に記載のスピーカ装置。
【請求項４】
上記発音体は、上記筒状部材の長手方向の中心部に配設されている
ことを特徴とする請求項１に記載のスピーカ装置。
【請求項５】
上記筒状部材は、上記発音体からの音波が進む方向に向かって徐々に径が大きくされている
ことを特徴とする請求項１に記載のスピーカ装置。
【請求項６】
上記発音体として第１の発音体および第２の発音体を有し、
上記第１の発音体から得られる第１の音波を上記筒状部材の一端側から外部に放射すると共に、上記第２の発音体から得られる、上記第１の音波と同相の第２の音波を上記筒状部材の他端側から外部に放射する
ことを特徴とする請求項１に記載のスピーカ装置。
【請求項７】
発音体から得られる音波を筒状部材を用いて外部に放射する音声出力方法であって、
上記発音体を上記筒状部材に対して同軸的に配置し、
上記発音体から得られる音波を上記筒状部材の一端側および他端側から外部に放射する
ことを特徴とする音声出力方法。
【発明の詳細な説明】
【技術分野】
【０００１】
この発明は、発音体から得られる音波を共鳴管を構成する筒状部材を用いて外部に放射するスピーカ装置および音声出力方法に関する。詳しくは、この発明は、発音体から得られる音波を、筒状部材の一端側および他端側から外部に放射する構成とすることによって、筒状部材の長手方向の各位置で均一な音圧を感じることができ、この筒状部材の長手方向の全体に渡って音像を定位させることができ、広がり感のある音像を得ることができるようにしたスピーカ装置等に係るものである。
【背景技術】
【０００２】
例えば、特許文献１には、筒状部材（筒状筐体）の上側開口部にスピーカユニットを同軸的に取り付けてなる無指向性スピーカシステムが記載されている。
【０００３】
【特許文献１】特開平０５−５６４９３号公報
【発明の開示】
【発明が解決しようとする課題】
【０００４】
上述の特許文献１に記載されるスピーカシステムでは、筒状部材の底面側には底板が取り付けられている。そのため、スピーカユニットから得られる音波は、筒状部材の上部側からのみ外部に放射される。そのため、このスピーカシステムでは、筒状部材の長手方向の各位置で均一な音圧を感じることができず、この筒状部材の上部側に音像が定位し、筒状部材の長手方向の全体に亘るような広がり感のある音像を得ることができなかった。
【０００５】
この発明の目的は、筒状部材の長手方向の全体に亘るような広がり感のある音像を得ることにある。
【課題を解決するための手段】
【０００６】
この発明の概念は、
筒状部材と、
上記筒状部材と同軸的に配置され、音声信号に基づいて駆動される発音体とを備え、
上記発音体から得られる音波を、上記筒状部材の一端側および他端側から放射する
ことを特徴とするスピーカ装置にある。
【０００７】
この発明のスピーカ装置は、筒状部材と発音体とを備えている。発音体は、筒状部材と同軸的に配置されている。そして、発音体から得られる音波は、筒状部材の一端側および他端側から放射される。例えば、発音体は、動電型アクチュエータを用いたスピーカユニット等である。
【０００８】
このように発音体から得られる音波が筒状部材の一端側および他端側から放射されるため、この筒状部材の長手方向の各位置で均一な音圧が得られるようになる。これにより、筒状部材の長手方向の全体に渡って音像を定位させることができ、広がり感のある音像を得ることができる。
【０００９】
例えば、筒状部材の内部にそれぞれ軸方向に伸びる複数本の貫通孔が形成されており、複数個の発音体がそれぞれ複数本の貫通孔と同軸的に配置される。これにより、複数個の発音体の独立性を確保でき、この複数個の発音体をそれぞれ独立した音声信号、例えば複数チャネルの音声信号、あるいは同一の音声信号に対してレベル、遅延時間、周波数特性等を独立して調整して得られた複数の音声信号等に基づいて駆動することで、音の広がり感を高める音場処理が可能となる。
【００１０】
ここで、複数本の貫通孔のうち、一部の貫通孔を筒状部材の中央部に配し、その他の貫通孔をこの中央部の貫通孔の周囲に配することが考えられる。この場合、例えば、中央部の貫通孔に対応した発音体を第１の音声信号で駆動し、その周囲の貫通孔に対応した発音体を第２の音声信号で駆動した場合、筒状部材の周囲のどの位置でも音場制御効果が変わらないという利益がある。これに対して、中央部に配する貫通孔がない場合、例えば一部の貫通孔に対応した発音体を第１の音声信号で駆動し、その他の貫通孔に対応した発音体を第２の音声信号で駆動した場合、筒状部材の周囲では位置により音場制御効果が変わってしまう。
【００１１】
例えば、発音体は筒状部材の長手方向の中心部に配設される。これにより、筒状部材の一端側および他端側から放射される音波のレベルをほぼ等しくでき、筒状部材の長手方向の各位置でより均一な音圧が得られるようになる。
【００１２】
また例えば、筒状部材は、発音体からの音波が進む方向に向かって徐々に径が大きくされる。これにより、電気的なインダクタンス成分が増すことから、周波数特性の平坦化と共鳴のダンピング効果が得られ、また音波が放射される出口が広くなることから、音像の広がり感が増すという効果がある。
【００１３】
また例えば、発音体として第１、第２の発音体を有するようにされ、第１の発音体から得られる第１の音波は筒状部材の一端側から外部に放射され、第２の発音体から得られる、第１の音波と同相の第２の音波は筒状部材の他端側から外部に放射される。これにより、筒状部材の一端側および他端側の特性を同じくでき、その特性差を感じないようにできる。
【発明の効果】
【００１４】
この発明によれば、発音体から得られる音波を、筒状部材の一端側および他端側から外部に放射する構成とするものであり、筒状部材の長手方向の各位置で均一な音圧を感じることができ、筒状部材の長手方向の全体に渡って音像を定位させることができ、広がり感のある音像を得ることができる。
【発明を実施するための最良の形態】
【００１５】
この発明の実施の形態について説明する。図１〜図４は、実施の形態としてのスピーカ装置１００Ａの構成を示している。図１はスピーカ装置１００Ａの斜視図、図２はスピーカ装置１００Ａの縦断面図、図３はスピーカ装置１００Ａの上面図、図４はスピーカ装置１００Ａの底面図である。
【００１６】
このスピーカ装置１００Ａは、ベース筐体１０１と、パイプ１０２と、アクチュエータとしての磁歪アクチュエータ１０３と、スピーカユニット１０４とを有している。パイプ１０２は、音響振動板としても機能する筒状部材を構成している。磁歪アクチュエータ１０３の駆動ロッド１０３ａは、変位出力を伝達する伝達部を構成している。また、スピーカユニット１０４は動電型アクチュエータを用いた発音体である。
【００１７】
ベース筐体１０１は、例えば合成樹脂で形成されている。このベース筐体１０１は、全体として円板状に形成されているが、その中央部に円柱状に貫通した開口部１０５が設けられている。このベース筐体１０１の下面外周側に沿って所定本、この実施の形態では３本の脚部１０６が等角間隔で植立されている。
【００１８】
脚部１０６を３本とするとき、これら３本の脚部１０６は設置面に必ず接するため、例えば４本の脚部を設ける場合に比べて、安定した設置が可能となる。また、ベース筐体１０１の下面に脚部１０６を設けることで、ベース筐体１０１の下面を設置面から離間させることができ、このベース筐体１０１の下面側に取り付けられるスピーカユニット１０４からの音波が外部に放射することを可能としている。
【００１９】
パイプ１０２は、所定材料、例えば透明なアクリルで形成されている。このパイプ１０２はベース筐体１０１に固定されている。すなわち、このパイプ１０２の下端部が、複数箇所、この実施の形態では４箇所で、金属製のＬ字アングル１０７を用いて、ベース筐体１０１の上面に固定されている。パイプ１０２のサイズは、一例として、例えば、長さが１０００ｍｍ、直径が１００ｍｍ、厚さが２ｍｍである。
【００２０】
この場合、Ｌ字アングル１０７の一端および他端には、図示せずも、ネジ止め用の丸孔が形成されている。このＬ字アングル１０７の一端はビス１０９を用いてベース筐体１０１の上面にネジ止めされる。ベース筐体１０１には、ビス１０９のネジ部と螺合するネジ溝（図示せず）が形成されている。この場合、Ｌ字アングル１０７の一端とベース筐体１０１の上面との間には、リング状のゴム材等で構成されるダンピング材１０８が介在される。
【００２１】
また、Ｌ字アングル１０７の他端は、ビス１１０およびナット１１１を用いて、パイプ１０２の下端部にネジ止めされる。パイプ１０２の下端部には、ビス１１０のネジ部を通すための丸穴（図示せず）が形成されている。このＬ字アングル１０７の他端とパイプ１０２の外面との間、およびナット１１１とパイプ１０２の内面との間には、それぞれ、リング状のゴム材等で構成されるダンピング材１１２，１１３が介在される。
【００２２】
このように、ダンピング材１０８，１１２，１１３を介在させることで、磁歪アクチュエータ１０３による振動（弾性波）がパイプ１０２およびＬ字アングル１０７を通じてベース筐体１０１に伝播することを阻止でき、ベース筐体１０１側への音像定位が防止される。
【００２３】
複数個、本実施の形態では４個の磁歪アクチュエータ１０３がベース筐体１０１に固定されている。４個の磁歪アクチュエータ１０３は、パイプ１０２の下端部側の円形端面に沿って等間隔に配置されている。この場合、ベース筐体１０１には磁歪アクチュエータ１０３を収納するための収納穴１１４が形成されている。磁歪アクチュエータ１０３はこの収納穴１１４に収納されることで、ベース筐体１０１に固定される。
【００２４】
収納穴１１４の底面と磁歪アクチュエータ１０３との間には、ゴム材等で構成されるダンピング材１１５が介在される。このようにダンピング材１１５を介在させることで、磁歪アクチュエータ１０３による振動がベース筐体１０１に伝播することを阻止でき、ベース筐体１０１側への音像定位が防止される。
【００２５】
磁歪アクチュエータ１０３がベース筐体１０１の収納穴１１４に収納固定された状態では、この磁歪アクチュエータ１０３の駆動ロッド１０３ａはパイプ１０２の下端部側の端面に当接した状態となる。この場合、駆動ロッド１０３ａの変位方向は、この端面に直交する方向、従ってパイプ１０２の軸方向とされる。この軸方向は、パイプ１０２の面方向（面に平行な方向）でもある。このような配置状態とすることで、磁歪アクチュエータ１０３は、パイプ１０２の下端部側の端面から、この端面に直交した方向の振動成分をもって、パイプ１０２を加振できるようになる。
【００２６】
図５は、磁歪アクチュエータ１０３の構成例を示している。磁歪アクチュエータ１０３は、伸長方向に変位を生ずる棒状の磁歪素子１５１、この磁歪素子１５１に制御磁界を印加するために、この磁歪素子１５１の周囲に配置された磁界発生部としてのソレノイドコイル１５２、磁歪素子１５１の一端に連結されて磁歪アクチュエータ１０３の変位出力を伝達する可動部材たる駆動ロッド１０３ａ、および磁歪素子１５１とソレノイドコイル１５２を収納する収納部１５４によって構成されている。
【００２７】
収納部１５４は、固定盤１６１、永久磁石１６２および筒状ケース１６３で構成されている。固定盤１６１には、磁歪素子１５１の他端が連結されており、この固定盤１６１によって磁歪素子１５１が支持されている。磁歪素子１５１に静的バイアス磁界を印加する永久磁石１６２と磁気回路構成部材である筒状ケース１６３は、収納される磁歪素子１５１の周囲に配されている。筒状ケース１６３は、永久磁石１６２の駆動ロッド１０３ａ側と固定盤１６１側に取り付けられており、強磁性体を用いて構成することで、効率よく磁歪素子１５１に静的バイアス磁界を印加できる。また、固定盤１６１も強磁性体を用いて構成することで、さらに効率よく磁歪素子１５１に静的バイアス磁界を印加できる。
【００２８】
駆動ロッド１０３ａと収納部１５４との間には間隙１５５が設けられ、駆動ロッド１０３ａは永久磁石１６２によって吸引されるように強磁性体を用いて形成される。これにより、駆動ロッド１０３ａと収納部１５４との間で磁気的な吸引力を発生させ、この磁気的な吸引力により駆動ロッド１０３ａに取り付けられた磁歪素子１５１に予荷重が加えられる。
【００２９】
図６は、図５に示す磁歪アクチュエータ１０３における磁束線図を示している。永久磁石１６２から生じた磁束線は、筒状ケース１６３を通過したのち、間隙１５５、駆動ロッド１０３ａ、固定盤１６１を介して永久磁石１６２へ向かうことになる。このため、駆動ロッド１０３ａと収納部１５４との間で磁気的な吸引力が生じ、この磁気的な吸引力により磁歪素子１５１に予荷重を印加させることができる。また、磁束線の一部は、筒状ケース１６３を通過したのち、間隙１５５、駆動ロッド１０３ａ、磁歪素子１５１、固定盤１６１を介して永久磁石１６２へ向かうことになる。このため、磁歪素子１５１に静的バイアス磁界を印加できる。
【００３０】
この磁歪アクチュエータ１０３では、駆動ロッド１０３ａが軸受によって支持されていないことから、駆動ロッド１０３ａと軸受との摩擦の問題がないため、変位出力の損失を大幅に低減できる。
【００３１】
また、この磁歪アクチュエータ１０３では、磁気的吸引力によって磁歪素子１５１に予荷重を加えるものであることから、磁歪素子１５１の変位の周期が短くても予荷重を安定して加え続けることができ、ソレノイドコイル１５２に供給される制御電流に応じた変位出力を正しく得ることができる。
【００３２】
そのため、この磁歪アクチュエータ１０３では、ソレノイドコイル１５２に流れる制御電流と駆動ロッド１０３ａの変位との関係がリニアな関係に近づくことから、この磁歪アクチュエータ１０３の特性により発生する歪みが軽減され、従ってフィードバック補正の負担を軽減できる。
【００３３】
また、この磁歪アクチュエータ１０３では、永久磁石１６２は、２つの筒状ケース１６３の間に介在されることから、磁歪素子１５１に印加される静的バイアス磁界を、固定盤１６１の位置に永久磁石を設ける場合に比べて均一にできる。さらに、駆動ロッド１０３ａを支持する軸受や、駆動ロッド１０３ａと収納部１５４を接続するための連結部材、磁歪素子１５１に予荷重を加えるためのばね等を設ける必要がなく、小型化が容易であるとともに安価に構成できる。
【００３４】
上述のパイプ１０２および磁歪アクチュエータ１０３は、可聴周波数帯域の高域側を受け持つスピーカを構成し、ツィータとして機能する。これに対して、スピーカユニット１０４は、可聴周波数帯域の低域側を受け持つスピーカを構成し、ウーハとして機能する。
【００３５】
スピーカユニット１０４は、ベース筐体１０１の下面側の開口部１０５に対応した位置に、下方に前面を向けた状態で、例えばビス（図示せず）を用いて取り付けられている。
【００３６】
この場合、スピーカユニット１０４は、パイプ１０２と同軸的に配置された状態となっている。このスピーカユニット１０４の前面から出力される正相の音波は、ベース筐体１０１の下面側から外部に放射される。また、このスピーカユニット１０４の背面から出力される逆相の音波は、開口部１０５およびパイプ１０２を通って、パイプ１０２の上端部側から外部に放射される。この場合、パイプ１０２は共鳴管として機能する。
【００３７】
なお、パイプ１０２の下端部側の端面とベース筐体１０１との間には、例えばゴム材からなるダンピング材１１６が配設されている。これにより、磁歪アクチュエータ１０３による振動がパイプ１０２を通じてベース筐体１０１に伝播することを阻止しながら、パイプ１０２が共鳴管として良好に機能するように密閉度を高めることができる。
【００３８】
図７は、４個の磁歪アクチュエータ１０３およびスピーカユニット１０４の駆動系の構成を示している。
【００３９】
ステレオ音声信号を構成する左音声信号ＡＬおよび右音声信号ＡＲは加算器１２１に供給され、この加算器１２１ではそれらの音声信号ＡＬ，ＡＲが合成されてモノラル音声信号ＳＡが生成される。このモノラル音声信号ＳＡからハイパスフィルタ１２２で高域成分ＳＡHが抽出される。この高域成分ＳＡHは、イコライザ１２３で磁歪アクチュエータ１０３に対応した周波数特性の補正が行われ、さらにアンプ１２４-1〜１２４-4で増幅された後に、４個の磁歪アクチュエータ１０３に駆動信号として供給される。これにより、４個の磁歪アクチュエータ１０３は同一の高域成分ＳＡHで駆動され、それぞれの駆動ロッド１０３ａは当該高域成分ＳＡHに対応して変位する。
【００４０】
また、加算器１２１で生成されるモノラル音声信号ＳＡからローパスフィルタ１２５で低域成分ＳＡLが抽出される。この低域成分ＳＡLは、イコライザ１２６でパイプ１０２からなる共鳴管に対応した周波数特性の補正が行われ、数ミリ秒の遅延時間を持つ遅延回路１２７で遅延され、さらにアンプ１２８で増幅された後に、スピーカユニット１０４に駆動信号として供給される。これにより、スピーカユニット１０４は、低域成分ＳＡLで駆動される。
【００４１】
スピーカユニット１０４への低域成分ＳＡLの供給経路に遅延回路１２７を挿入することで、パイプ１０２から高域の音波が放射される時点より、スピーカユニット１０４から低域の音波が放射される時点が遅くなる。そのため、音像は高域に引っぱられるという人間の聴覚上の特徴から、視聴者は高域の音波が放射されるパイプ１０２の部分に音像を感じ易くなる。
【００４２】
図１〜図４に示すスピーカ装置１００Ａの動作を説明する。
【００４３】
ベース筐体１０１に収容固定された４個の磁歪アクチュエータ１０３は、モノラル音声信号ＳＡの高域成分ＳＡHで駆動され、それらの駆動ロッド１０３ａは当該高域成分ＳＡHに対応して変位する。そして、この駆動ロッド１０３ａの変位により、パイプ１０２は、その下端部側の端面から、この端面に直交した方向（面方向）の振動成分をもって、加振される。
【００４４】
この場合、パイプ１０２の下端部側の端面は縦波で励振され、このパイプ１０２を、弾性波（振動）が面方向に伝播していく。そして、この弾性波がパイプ１０２を伝播する際に縦波、横波、縦波・・・のモード変換を繰り返し、縦波と横波との混在波となり、横波によってパイプ１０２の面内方向（面に垂直な方向）の振動が励振される。これにより、パイプ１０２からは音波が放射される。すなわち、このパイプ１０２の外面から、高域成分ＳＡHに対応した高域の音声出力が得られる。
【００４５】
なおこの場合、パイプ１０２の下端部側の円形端面に沿って等間隔に配置された４個の磁歪アクチュエータ１０３ａは同一の高域成分ＳＡHで駆動されていることから、パイプ１０２の全周から無指向性で高域の音声出力が得られる。
【００４６】
また、ベース筐体１０１の下面側に取り付けられたスピーカユニット１０４は、モノラル音声信号ＳＡの低域成分ＳＡLで駆動される。そして、このスピーカユニット１０４の前面から低域の音声出力（正相）が得られ、この音声出力はベース筐体１０１の下面側から外部に放射され、またこのスピーカユニット１０４の背面から低域の音声出力（逆相）が得られ、この音声出力は、開口部１０５およびパイプ１０２を通って、パイプ１０２の上端部側から外部に放射される。
【００４７】
図１〜図４に示すスピーカ装置１００Ａによれば、モノラル音声信号ＳＡの高域成分ＳＡHで駆動される磁歪アクチュエータ１０３は、パイプ１０２を、その下端部側の端面から、この端面に直交した方向（面方向）の振動成分をもって、加振するものである。そのため、加振点に大きな横波は発生せず、この加振点からの音波が他の位置から放射される音波に比べて非常に大きな音として聴取されるということがなく、パイプ１０２の長手方向の全体に渡って音像を定位させることができ、広がり感のある音像を得ることができる。
【００４８】
ここで、（１）パイプに下端部側の端面から軸方向に加振した場合と、（２）パイプに下端部側の側面から径方向に加振した場合とで、加速度一定の入力を入れて、出力も加速度で見た、シミュレーションについて説明する。このシミュレーションでは、長さが１０００ｍｍ、直径が１００ｍｍ、厚さが２ｍｍのアクリル製のパイプを想定している。
【００４９】
図８は、図９に矢印で示すように、径方向に加振した場合におけるシミュレーション結果を示している。曲線ａは下端から２．８３６７ｃｍの「bottom」位置における周波数応答を、曲線ｂは下端から５０ｃｍの「center」位置における周波数応答を、曲線ｃは下端から９５．３３７ｃｍの「top」位置における周波数応答を示している。
【００５０】
径方向に加振した場合、加振点に大きな横波が発生し、加振点からの音波が他の位置から放射される音波に比べて非常に大きな音として聴取されることから、図８に示すように、各位置にける加速度（音圧）の差は比較的大きくなり、パイプの長手方向の各位置で均一な音圧を感じることができず、従って広がり感のある音像を得ることはできない。
【００５１】
図１０は、図１１に矢印で示すように、軸方向に加振した場合におけるシミュレーション結果を示している。曲線ａは下端から２．８３６７ｃｍの「bottom」位置における周波数応答を、曲線ｂは下端から５０ｃｍの「center」位置における周波数応答を、曲線ｃは下端から９５．３３７ｃｍの「top」位置における周波数応答を示している。
【００５２】
軸方向（端面に直交する方向）に加振した場合、加振点に大きな横波が発生せず、加振点からの音波が他の位置から放射される音波に比べて非常に大きな音として聴取されるとがないことから、図１０に示すように、各位置にける加速度（音圧）の差は比較的小さくなり、パイプの長手方向の各位置で均一な音圧を感じることができ、従って広がり感のある音像を得ることができる。
【００５３】
また、図１〜図４に示すスピーカ装置１００Ａによれば、パイプ１０２をその下端部側の端面から磁歪アクチュエータ１０３で加振し、このパイプ１０２の長手方向の各位置から音波を放射させ、このパイプ１０２の外面から高域成分ＳＡHに対応した高域の音声出力を得るものである。したがって、パイプ１０２が存在する音像定位場所に磁歪アクチュエータ等の駆動デバイスが存在しないことから、パイプ１０２を完全に透明にしても、駆動デバイスが見えるということがなく、例えば音に合わせた視覚的な情報を駆動デバイスに邪魔されずにパイプ１０２部分に表示することも可能となる。
【００５４】
また、図１〜図４に示すスピーカ装置１００Ａによれば、ベース筐体１０１の下面側に取り付けられたスピーカユニット１０４の前面から得られる低域の音声出力（正相）はベース筐体１０１の下面側から外部に放射され、またこのスピーカユニット１０４の背面から得られる低域の音声出力（逆相）は、開口部１０５およびパイプ１０２を通って、パイプ１０２の上端部側から外部に放射されるものである。そのため、低域の音声出力に関しても、パイプ１０２の長手方向の各位置で均一な音圧を感じることができ、パイプ１０２の長手方向の全体に渡って音像を定位させることができ、従って広がり感のある音像を得ることができる。
【００５５】
ここで、（１）パイプ１０２の上部側からのみ音波を放射した場合と、（２）パイプ１０２の上部側および下部側の双方から音波を放射した場合とで、マイクロホンを用いて、パイプ１０２の上部および下部からそれぞれ１ｍの距離にある「top」位置および「bottom」位置におけるＳＰＬ(sound pressure level)を測定して見た。
【００５６】
図１２は、図１３に矢印で示すように、パイプ１０２の上部側からのみ音波を放射した場合における測定結果を示している。曲線ａは「top」位置におけるＳＰＬを、曲線ｂは「bottom」位置におけるＳＰＬを示している。図１２に示すように、パイプ１０２の上部側からのみ音波を放射した場合には、「bottom」位置のレベルは「top」位置のレベルに比べて低く、低域の音声出力に関して、パイプ１０２の長手方向の各位置で均一な音圧を感じることができない。
【００５７】
図１４は、図１５に矢印で示すように、パイプ１０２の上部側および下部側の双方から音波を放射した場合における測定結果を示している。曲線ａは「top」位置におけるＳＰＬを、曲線ｂは「bottom」位置におけるＳＰＬを示している。図１４に示すように、パイプ１０２の上部側および下部側の双方から音波を放射した場合には、「bottom」位置のレベルと「top」位置のレベルとはほとんど差がなく、低域の音声出力に関して、パイプ１０２の長手方向の各位置で均一な音圧を感じることができる。
【００５８】
なお、上述では、磁歪アクチュエータ１０３およびスピーカユニット１０４の駆動系は図７に示すように構成され、４個の磁歪アクチュエータ１０３が同一の高域成分ＳＡHで駆動されるものを示した。しかし、これら４個の磁歪アクチュエータ１０３が独立した高域成分ＳＡHで駆動されるようにすることもできる。
【００５９】
図１６は、４個の磁歪アクチュエータ１０３およびスピーカユニット１０４の駆動系の他の構成を示している。この図１６において、図７と対応する部分には同一符号を付し、その詳細説明は省略する。
【００６０】
ハイパスフィルタ１２２で抽出された高域成分ＳＡHは、４個の信号処理部１２９-1〜１２９-4に供給される。これら信号処理部１２９-1〜１２９-4では、それぞれ独立して、高域成分ＳＡHに対して、レベル、遅延時間、周波数特性等を調整する処理（音場制御処理）が行われると共に、磁歪アクチュエータ１０３の出力特性に関する信号補正処理が行われる。これら信号処理部１２９-1〜１２９-4から出力される高域成分ＳＡH1〜ＳＡH4は、それぞれアンプ１２４-1〜１２４-4で増幅された後に、４個の磁歪アクチュエータ１０３に駆動信号として供給される。これにより、４個の磁歪アクチュエータ１０３はそれぞれ独立した高域成分ＳＡH1〜ＳＡH4で駆動され、それぞれの駆動ロッド１０３ａは当該高域成分ＳＡH1〜ＳＡH4に対応して変位する。
【００６１】
また、ローパスフィルタ１２５で抽出された低域成分ＳＡLは信号処理部１３０に供給される。この信号処理部１３０では、低域成分ＳＡLに対して、レベル、遅延時間、周波数特性等を調整する処理（音場制御処理）が行われると共に、共鳴管特性に関する信号補正処理が行われる。この信号処理部１３０から出力される低域成分は、アンプ１２８で増幅された後に、スピーカユニット１０４に駆動信号として供給される。これにより、スピーカユニット１０４は、低域成分で駆動される。
【００６２】
この図１６に示す駆動系の構成では、４個の磁歪アクチュエータ１０３がそれぞれ信号処理部１２９-1〜１２９-4で独立して処理された高域成分ＳＡH1〜ＳＡH4で駆動されるので、音の広がり感を高めることができる。
【００６３】
なお、図１６においては、４個の磁歪アクチュエータ１０３を駆動する高域成分ＳＡH1〜ＳＡH4をモノラル音声信号ＳＡから得るものを示したが、ステレオ音声信号を構成する左音声信号ＡＬおよび右音声信号ＡＲ、あるいはマルチチャネルの音声信号から得るようにしてもよい。
【００６４】
次に、この発明の他の実施の形態について説明する。図１７〜図１９は、実施の形態としてのスピーカ装置１００Ｂの構成を示している。図１７はスピーカ装置１００Ｂの縦断面図、図１８は図１７のＡ−Ａ線から下方を見たスピーカ装置１００Ｂの横断面図、図１９はスピーカ装置１００Ｂの上面図（ただし、図１７のＡ−Ａ線から下方は省略）である。これら図１７〜図１９において、図１〜図４と対応する部分には同一符号を付し、その詳細説明は省略する。
【００６５】
このスピーカ装置１００Ｂは、図１〜図４に示すスピーカ装置１００Ａに、さらにパイプ１０２の支持具１３１を付加したものである。この支持具１３１は、ベース筐体１０１の上面に固定される下部十字部材１３２と、パイプ１０２の上部に固定される上部十字部材１３３と、一端が下部十字部材１３２の中心部に接続され、他端が上部十字部材１３３に接続された棒材１３４で構成されている。
【００６６】
下部十字部材１３２の４つの端部には図示せずもネジ止め用の丸孔が形成されている。そして、この４つの端部は、それぞれ、ビス１３５でベース筐体１０１の上面にネジ止めされる。ベース筐体１０１には、ビス１３５のネジ部と螺合するネジ溝（図示せず）が形成されている。
【００６７】
また、上部十字部材１３３の４つの端部１３３ｅは、幅広に形成されていると共に、下方に直角に折り曲げられている。この４つの端部１３３ｅには図示せずもネジ止め用の丸孔が形成されている。この上部十字部材１３３の４つの端部１３３ｅは、ビス１３６およびナット１３７を用いて、パイプ１０２の上端部にネジ止めされる。パイプ１０２の上端部には、ビス１３６のネジ部を通すための丸穴（図示せず）が形成されている。
【００６８】
この上部十字部材１３３の４つの端部１３３ｅとパイプ１０２の外面との間、およびナット１３７とパイプ１０２の内面との間には、それぞれ、リング状のゴム材等で構成されるダンピング材１３８，１３９が介在される。これにより、磁歪アクチュエータ１０３による振動（弾性波）がパイプ１０２および支持具１３１を通じてベース筐体１０１に伝播することを阻止している。
【００６９】
図１７〜図１９に示すスピーカ装置１００Ｂのその他は、上述の図１〜図４に示すスピーカ装置１００Ａと同様に構成されている。この図１７〜図１９に示すスピーカ装置１００Ｂは、上述の図１〜図４に示すスピーカ装置１００Ａと同様に動作する。
【００７０】
このスピーカ装置１００Ｂによれば、上述のスピーカ装置１００Ａと同様の効果を得ることができ、さらに支持具１３１によってパイプ１０２を支持するようにしているので、パイプ１０２を長くした場合の安定性を増す効果がある。また、この支持具１３１は、上述したように棒材１３４等で構成され、パイプ１０２内の占有容積を少なくしているので、パイプ１０２の共鳴管としての機能への影響はほとんどない。
【００７１】
次に、この発明の他の実施の形態について説明する。図２０〜図２３は、実施の形態としてのスピーカ装置１００Ｃの構成を示している。図２０はスピーカ装置１００Ｃの斜視図、図２１はスピーカ装置１００Ｃの縦断面図、図２２はスピーカ装置１００Ｃの上面図、図２３はスピーカ装置１００Ｃの底面図である。これら図２０〜図２３において、図１〜図４と対応する部分には同一符号を付し、その詳細説明は省略する。
【００７２】
このスピーカ装置１００Ｃは、パイプ１０２の内部にそれぞれ軸方向に伸びる複数本、この実施の形態では４本の貫通孔１４１ａ〜１４１ｄが形成されている。これら貫通孔１４１ａ〜１４１ｄは、例えばアクリル製の間仕切り板１４２で仕切られている。この間仕切り板１４２は、図２２、図２３に示すように、横断面十字形状とされている。また、この間仕切り板１４２は、図２１に示すように、パイプ１０２の内部だけでなくベース筐体１０１の開口部１０５にまで及ぶ長さとされ、図２２、図２３に示すように、開口部１０５も貫通孔１４１ａ〜１４１ｄのそれぞれに対応した４つの小開口部１４３ａ〜１４３ｄに分離されている。なお、パイプ１０２の径と開口部１０５の径とは異なるので、図２１に示すように、間仕切り板１４２の外縁はそれぞれの径に対応するように段差をもった形状に形成されている。
【００７３】
また、スピーカ装置１００Ｃは、上述した４本の貫通孔１４１ａ〜１４１ｄと同軸的に配置された４個のスピーカユニットを１０４ａ〜１０４ｄを有している。これらスピーカユニット１０４ａ〜１０４ｄは、図２２、図２３に示すように、それぞれ、ベース筐体１０１の下面側の小開口部１４３ａ〜１４３ｄに対応した位置に、下方に前面を向けた状態で、例えばビス（図示せず）を用いて取り付けられている。
【００７４】
この場合、スピーカユニット１０４ａ〜１０４ｄは、貫通孔１４１ａ〜１４１ｄと同軸的に配置された状態となっている。これらスピーカユニット１０４ａ〜１０４ｄの前面から出力される正相の音波は、ベース筐体１０１の下面側から外部に放射される。また、これらのスピーカユニット１０４ａ〜１０４ｄの背面から出力される逆相の音波は、それぞれ小開口部１４３ａ〜１４３ｄおよび貫通孔１４１ａ〜１４１ｄを通って、パイプ１０２の上端部側から外部に放射される。この場合、パイプ１０２は共鳴管として機能する。
【００７５】
図２４は、４個の磁歪アクチュエータ１０３、および４個のスピーカユニット１０４ａ〜１０４ｄの駆動系２００の構成例を示している。
【００７６】
この駆動系２００は、ＤＳＰ(Digital Signal Processor)ブロック２０１と、アンプブロック２０２，２０３とからなっている。ＤＳＰブロック２０１は、磁歪アクチュエータ側の信号補正及び音場制御部２０１Ａと、スピーカユニット側の信号補正及び音場制御部２０１Ｂとを有している。
【００７７】
磁歪アクチュエータ側の信号補正及び音場制御部２０１Ａは、４個の磁歪アクチュエータ１０３にそれぞれ対応して、４個の信号処理部２１１および４個のハイパスフィルタ（ＨＰＦ）２１２を備え、さらに４個の信号処理部２１１にそれぞれステレオ音声信号を構成する左音声信号ＡＬおよび右音声信号ＡＲを減衰して入力するための８個のアッテネータ２１０を備えている。
【００７８】
各信号処理部２１１は、それぞれ、入力される音声信号ＡＬ，ＡＲのレベル、遅延時間、周波数特性等の調整、さらにはそれらの音声信号ＡＬ，ＡＲの混合等の処理（音場制御処理）を行うと共に、磁歪アクチュエータ１０３の出力特性に関する信号補正処理を行う。各ハイパスフィルタ２１２は、それぞれ、対応する信号処理部２１１からの音声信号から高域成分を抽出し、アンプブロック２０２に供給する。
【００７９】
この場合、各磁歪アクチュエータ１０３には、ＤＳＰブロック２０１の信号補正及び音場制御部２０１Ａでそれぞれ独立して音場制御処理および信号補正処理が行われた音声信号の高域成分がアンプブロック２０２で増幅されて供給される。４個の磁歪アクチュエータ１０３が、このように音場制御処理が行われた高域成分で駆動されることで、高域の音声出力による音の広がり感を高めることができる。
【００８０】
一方、スピーカユニット側の信号補正及び音場制御部２０１Ｂは、スピーカユニット１０４ａ〜１０４ｄに対応して、４個の信号処理部２２１および４個のローパスフィルタ（ＬＰＦ）２２２を備え、さらに４個の信号処理部２２１にそれぞれステレオ音声信号を構成する左音声信号ＡＬおよび右音声信号ＡＲを減衰して入力するための８個のアッテネータ２２０を備えている。
【００８１】
各信号処理部２２１は、それぞれ、入力される音声信号ＡＬ，ＡＲのレベル、遅延時間、周波数特性等の調整、さらにはそれらの音声信号ＡＬ，ＡＲの混合等の処理（音場制御処理）を行うと共に、共鳴管特性に関する信号補正処理を行う。各ローパスフィルタ２２２は、それぞれ、対応する信号処理部２２１からの音声信号から低域成分を抽出し、アンプブロック２０３に供給する。
【００８２】
この場合、スピーカユニット１０４ａ〜１０４ｄのそれぞれには、ＤＳＰブロック２０１の信号補正及び音場制御部２０１Ｂでそれぞれ独立して音場制御処理および信号補正処理が行われた音声信号の低域成分がアンプブロック２０３で増幅されて供給される。４個のスピーカユニット１０４ａから１０４ｄが、このように音場制御処理が行われた低域成分で駆動されることで、低域の音声出力による音の広がり感を高めることができる。
【００８３】
なお、図２４の駆動系２００において、信号補正及び音場制御部２０１Ａの信号処理部２１１とハイパスフィルタ２１２の順番は逆でもよく、同様に信号補正及び音場制御部２０１Ｂの信号処理部２２１とローパスフィルタ２２２の順番は逆でもよい。また、図２４の駆動系２００においては、４個の磁歪アクチュエータ１０３を駆動する高域成分およびスピーカユニット１０４ａから１０４ｄを駆動する低域成分を、ステレオ音声信号を構成する左音声信号ＡＬおよび右音声信号ＡＲから得るものを示したが、モノラル音声信号またはマルチチャネルの音声信号から得るようにすることもできる。
【００８４】
図２０〜図２３に示すスピーカ装置１００Ｃのその他は、上述の図１〜図４に示すスピーカ装置１００Ａと同様に構成されている。この図２０〜図２３に示すスピーカ装置１００Ｃは、上述の図１〜図４に示すスピーカ装置１００Ａと同様に動作する。
【００８５】
ただし、このスピーカ装置１００Ｃでは、ベース筐体１０１の下面側に４個のスピーカユニット１０４ａ〜１０４ｄが取り付けられ、これらの４個のスピーカユニット１０４ａ〜１０４ｄはそれぞれ低域成分ＳＡL1〜ＳＡL4で駆動される。そのため、これら４個のスピーカユニット１０４ａ〜１０４ｄのそれぞれの前面から低域の音声出力（正相）が得られ、この音声出力はベース筐体１０１の下面側から外部に放射され、またこのスピーカユニット１０４ａ〜１０４ｄのそれぞれの背面から低域の音声出力（逆相）が得られ、この音声出力は、小開口部１４３ａ〜１４３ｄおよび貫通孔１４１ａ〜１４１ｄを通って、パイプ１０２の上端部側から外部に放射される。
【００８６】
このスピーカ装置１００Ｃによれば、上述のスピーカ装置１００Ａと同様の効果を得ることができる他、以下の効果をも得ることができる。すなわち、４個のスピーカユニット１０４ａ〜１０４ｄを備え、これら４個のスピーカユニット１０４ａ〜１０４ｄはパイプ１０２の４本の貫通孔１４１ａ〜１４１ｄと同軸的に配置されて独立性が確保されているので、図２４に示すように、４個のスピーカユニット１０４ａ〜１０４ｄをそれぞれＤＳＰ１３０-1〜１３０-4で独立して処理された低域成分ＳＡL1〜ＳＡL4で駆動することで、音の広がり感を高める音場処理が可能となる。
【００８７】
次に、この発明の他の実施の形態について説明する。図２５〜図２８は、実施の形態としてのスピーカ装置１００Ｄの構成を示している。図２５はスピーカ装置１００Ｄの斜視図、図２６はスピーカ装置１００Ｄの縦断面図、図２７はスピーカ装置１００Ｄの上面図、図２８はスピーカ装置１００Ｄの底面図である。これら図２５〜図２８において、図１〜図４と対応する部分には同一符号を付し、適宜その説明は省略する。
【００８８】
このスピーカ装置１００Ｄは、パイプ１０２の内部にそれぞれ軸方向に伸びる複数本、この実施の形態では５本の貫通孔１４５ａ〜１４５ｅが形成されている。この場合、５本の貫通孔１４５ａ〜１４５ｅのうち、一部の貫通孔である貫通孔１４５ｅはパイプ１０２の中央部に配され、その他の貫通孔１４５ａ〜１４５ｃは貫通孔１４５ｅの周囲に配されている。
【００８９】
これら貫通孔１４５ａ〜１４５ｅは、例えばアクリル製の間仕切り板１４６で仕切られている。この間仕切り板１４６は、図２７、図２８に示すように、横断面が、中央に円形部があると共に、この円形部から４方向に放射状に外側に伸びた放射部がある形状とされている。
【００９０】
この間仕切り板１４２は、図２６に示すように、パイプ１０２の内部だけでなくベース筐体１０１の開口部１０５にまで及ぶ長さとされ、図２７、図２８に示すように、開口部１０５も貫通孔１４５ａ〜１４５ｅのそれぞれに対応した５つの小開口部１４７ａ〜１４７ｅに分離されている。なお、パイプ１０２の径と開口部１０５の径とは異なるので、図２６に示すように、間仕切り板１４６の外縁はそれぞれの径に対応するように段差をもった形状に形成されている。
【００９１】
また、スピーカ装置１００Ｄは、上述した５本の貫通孔１４５ａ〜１４５ｅと同軸的に配置された５個のスピーカユニットを１０４ａ〜１０４ｅを有している。これらスピーカユニット１０４ａ〜１０４ｅは、図２７、図２８に示すように、それぞれ、ベース筐体１０１の下面側の小開口部１４７ａ〜１４７ｅに対応した位置に、下方に前面を向けた状態で、例えばビス（図示せず）を用いて取り付けられている。
【００９２】
この場合、スピーカユニット１０４ａ〜１０４ｅは、貫通孔１４５ａ〜１４５ｅと同軸的に配置された状態となっている。これらスピーカユニット１０４ａ〜１０４ｅの前面から出力される正相の音波は、ベース筐体１０１の下面側から外部に放射される。また、これらのスピーカユニット１０４ａ〜１０４ｅの背面から出力される逆相の音波は、それぞれ小開口部１４７ａ〜１４７ｅおよび貫通孔１４５ａ〜１４５ｅを通って、パイプ１０２の上端部側から外部に放射される。この場合、パイプ１０２は共鳴管として機能する。
【００９３】
駆動系は図示せずも、５個のスピーカユニット１０４ａ〜１０４ｅは、図２０〜図２３に示すスピーカ装置１００Ｃのスピーカユニット１０４ａ〜１０４ｄと同様に、それぞれ、独立して処理された低域成分で駆動される（図２４参照）。
【００９４】
図２５〜図２８に示すスピーカ装置１００Ｄのその他は、上述の図１〜図４に示すスピーカ装置１００Ａと同様に構成されている。この図２５〜図２８に示すスピーカ装置１００Ｄは、上述の図１〜図４に示すスピーカ装置１００Ａと同様に動作する。
【００９５】
ただし、このスピーカ装置１００Ｄでは、ベース筐体１０１の下面側に５個のスピーカユニット１０４ａ〜１０４ｅが取り付けられ、これらの５個のスピーカユニット１０４ａ〜１０４ｅはそれぞれ独立した低域成分で駆動される。そのため、これら５個のスピーカユニット１０４ａ〜１０４ｅのそれぞれの前面から低域の音声出力（正相）が得られ、この音声出力はベース筐体１０１の下面側から外部に放射され、またこのスピーカユニット１０４ａ〜１０４ｅのそれぞれの背面から低域の音声出力（逆相）が得られ、この音声出力は、小開口部１４７ａ〜１４７ｅおよび貫通孔１４５ａ〜１４５ｅを通って、パイプ１０２の上端部側から外部に放射される。
【００９６】
このスピーカ装置１００Ｄによれば、上述のスピーカ装置１００Ａと同様の効果を得ることができる他、以下の効果をも得ることができる。すなわち、５個のスピーカユニット１０４ａ〜１０４ｅを備え、これら５個のスピーカユニット１０４ａ〜１０４ｅはパイプ１０２の４本の貫通孔１４５ａ〜１４５ｅと同軸的に配置されて独立性が確保されているので、それぞれを独立して処理された低域成分で駆動することで、音の広がり感を高める音場処理が可能となる。
【００９７】
また、このスピーカ装置１００Ｄによれば、ここで、５本の貫通孔１４５ａ〜１４５ｅのうち、貫通孔１４５ｅをパイプ１０２の中央部に配し、その他の貫通孔１４５ａ〜１４５ｄをこの中央部の貫通孔１４５ｅの周囲に配するようにしている。この場合、例えば、図２９Ａに示すように、中央部の貫通孔１４５ｅに対応したスピーカユニット１０４ｅを音声信号Ｓa1で駆動し、その周囲の貫通孔１４５ａ〜１４５ｄに対応したスピーカユニット１０４ａ〜１０４ｄを音声信号Ｓa2で駆動した場合、パイプ１０２の周囲のどの位置、つまり視聴者Ｕ１〜Ｕ４のどの位置でも音場制御効果が変わらないという利益がある。
【００９８】
これに対して、上述したスピーカ装置１００Ｃのように中央部に配する貫通孔がない場合、例えば、図２９Ｂに示すように、貫通孔１４１ａ，１４１ｃに対応したスピーカユニット１０４ａ，１０４ｃを音声信号Ｓa1で駆動し、その他の貫通孔１０４ｂ，１０４ｄに対応したスピーカユニット１０４ｂ，１０４ｄを音声信号Ｓa2で駆動した場合、パイプ１０２の周囲では位置により、つまり視聴者Ｕ１，Ｕ３の位置と、視聴者Ｕ２，Ｕ４の位置とで音場制御効果が変わってしまう。つまり、音場制御効果に方向性がでる。
【００９９】
次に、この発明の他の実施の形態について説明する。図３０は、実施の形態としてのスピーカ装置１００Ｆの構成を示している。図３０はスピーカ装置１００Ｆの斜視図を示している。この図３０において、図１と対応する部分には同一符号を付し、その詳細説明は省略する。
【０１００】
このスピーカ装置１００Ｆにおいては、図１に示すスピーカ装置１００Ａにおけるパイプ１０２の代わりにパイプ１０２Ｆが配設されたものである。このパイプ１０２Ｆは、スピーカユニット１０４からの音波が進む方向（図においては上方）に向かって徐々に径が大きくされている。
【０１０１】
このスピーカ装置１００Ｆのその他は、図１に示すスピーカ装置１００Ａと同様に構成されている。このスピーカ装置１００Ｆは、図１に示すスピーカ装置１００Ａと同様に動作する。
【０１０２】
このスピーカ装置１００Ｆによれば、上述のスピーカ装置１００Ａと同様の効果を得ることができる他、以下の効果をも得ることができる。すなわち、パイプ１０２Ｆがスピーカユニット１０４からの音波が進む方向に向かって徐々に径が大きくされているので、電気的なインダクタンス成分が増すことから、周波数特性の平坦化と共鳴のダンピング効果を得ることができ、さらに音波が放射される出口が広くなることから、音像の広がり感が増すという効果がある。
【０１０３】
なお、上述実施の形態においては、パイプ１０２，１０２Ｆの一端側である下端側にスピーカユニットが配置されたものを示したが、この発明の実施の形態としては、図３１に示すように、パイプ１０２Ｇの中心部に、スピーカユニット１０４を配置した構成のスピーカ装置１００Ｇも考えられる。
【０１０４】
このスピーカ装置１００Ｇでは、スピーカユニット１０４の前面から出力される正相の音波はパイプ１０２Ｇの下方に進み、その下端部側から外部に放射される。また、このスピーカユニット１０４の背面から出力される逆相の音波はパイプ１０２Ｇの上方に進み、その上端部側から外部に放射される。この場合、パイプ１０２Ｇは共鳴管として機能する
このスピーカ装置１００Ｇによれば、パイプ１０２Ｇの下端部側および上端部側の双方から音波が放射されるものであり、パイプ１０２Ｇの長手方向の各位置で均一な音圧を感じることができ、パイプ１０２Ｇの長手方向の全体に渡って音像を定位させることができ、従って広がり感のある音像を得ることができる。この場合、スピーカユニット１０４はパイプ１０２Ｇの長手方向の中心部に配設されているため、このパイプ１０２Ｇの下端部側および上端部側から放射される音波のレベルをほぼ等しくでき、パイプ１０２Ｇの長手方向の各位置でより均一な音圧が得られるようになる。
【０１０５】
また、上述実施の形態においては、パイプ１０２，１０２Ｆの下端部側から正相の音波を外部に放射し、その上端部側から逆相の音波を外部に放射するものを示したが、この発明の実施の形態としては、図３２に示すように、パイプ１０２の中心部に、２個のスピーカユニット１０４ａ，１０４ｂを配置した構成のスピーカ装置１００Ｈも考えられる。スピーカユニット１０４ａ，１０４ｂは、パイプ１０２の中心部に背中合わせの状態で配置されている。これらスピーカユニット１０４ａ，１０４ｂは、共通の音声信号で駆動される。
【０１０６】
このスピーカ装置１００Ｈでは、スピーカユニット１０４ａの前面から出力される正相の音波はパイプ１０２の下方に進み、その下端部側から外部に放射される。また、スピーカユニット１０４ｂの前面から出力される正相の音波はパイプ１０２Ｇの上方に進み、その上端部側から外部に放射される。この場合、パイプ１０２は共鳴管として機能する
このスピーカ装置１００Ｈによれば、パイプ１０２の下端部側および上端部側の双方から音波が放射されるものであり、パイプ１０２の長手方向の各位置で均一な音圧を感じることができ、パイプ１０２の長手方向の全体に渡って音像を定位させることができ、従って広がり感のある音像を得ることができる。
【０１０７】
この場合、スピーカユニット１０４ａ，１０４ｂはパイプ１０２の長手方向の中心部に配設されているため、このパイプ１０２の下端部側および上端部側から放射される音波のレベルをほぼ等しくでき、パイプ１０２の長手方向の各位置でより均一な音圧が得られるようになる。また、パイプ１０２の下端部側および上端部側から放射される音波は同相となることから、パイプ１０２の下端部側および上端部側の特性を同じくでき、その特性差を感じないようにできる。
【０１０８】
なお、上述実施の形態においては、発音体（トランスデューサ）として動電型アクチュエータを用いたスピーカユニットを使用したが、その他の磁歪アクチュエータ、圧電型アクチュエータを用いた発音体であってもよい。
【産業上の利用可能性】
【０１０９】
この発明は、広い範囲に渡って広がりのある音像を得ることができるものであり、オーディオビュジュアル装置におけるスピーカ装置等に適用できる。
【図面の簡単な説明】
【０１１０】
【図１】実施の形態としてのスピーカ装置１００Ａの構成を示す斜視図である。
【図２】実施の形態としてのスピーカ装置１００Ａの構成を示す縦断面図である。
【図３】実施の形態としてのスピーカ装置１００Ａの構成を示す上面図である。
【図４】実施の形態としてのスピーカ装置１００Ａの構成を示す底面図である。
【図５】磁歪アクチュエータの断面概略図である。
【図６】磁歪アクチュエータの磁束線図である。
【図７】磁歪アクチュエータおよびスピーカユニットの駆動系の構成を示すブロック図である。
【図８】パイプを径方向に加振した場合における、「bottom」、「center」、「top」の各位置での周波数応答のシミュレーション結果を示す図である。
【図９】パイプを径方向に加振する場合の加振方向を示す図である。
【図１０】パイプを軸方向に加振した場合における、「bottom」、「center」、「top」の各位置での周波数応答のシミュレーション結果を示す図である。
【図１１】パイプを軸方向に加振する場合の加振方向を示す図である。
【図１２】パイプの上部側からのみ音波を放射した場合における、「bottom」、「top」の各位置でのＳＰＬの測定結果を示す図である。
【図１３】パイプの上部側からのみ音波を放射する場合の音波放射方向および各測定位置を示す図である。
【図１４】パイプの上部側および下部側の双方から音波を放射した場合における、「bottom」、「top」の各位置でのＳＰＬの測定結果を示す図である。
【図１５】パイプの上部側および下部側の双方から音波を放射する場合の音波放射方向および各測定位置を示す図である。
【図１６】磁歪アクチュエータおよびスピーカユニットの駆動系の他の構成を示すブロック図である。
【図１７】実施の形態としてのスピーカ装置１００Ｂの構成を示す縦断面図である。
【図１８】実施の形態としてのスピーカ装置１００Ｂの構成を示す横断面図である。
【図１９】実施の形態としてのスピーカ装置１００Ｂの構成を示す一部を省略した断面図である。
【図２０】実施の形態としてのスピーカ装置１００Ｃの構成を示す斜視図である。
【図２１】実施の形態としてのスピーカ装置１００Ｃの構成を示す縦断面図である。
【図２２】実施の形態としてのスピーカ装置１００Ｃの構成を示す上面図である。
【図２３】実施の形態としてのスピーカ装置１００Ｃの構成を示す底面図である。
【図２４】磁歪アクチュエータおよびスピーカユニットの駆動系の構成例を示すブロック図である。
【図２５】実施の形態としてのスピーカ装置１００Ｄの構成を示す斜視図である。
【図２６】実施の形態としてのスピーカ装置１００Ｄの構成を示す縦断面図である。
【図２７】実施の形態としてのスピーカ装置１００Ｄの構成を示す上面図である。
【図２８】実施の形態としてのスピーカ装置１００Ｄの構成を示す底面図である。
【図２９】スピーカ装置１００Ｄ，１００Ｃの効果の比較をするための図である。
【図３０】実施の形態としてのスピーカ装置１００Ｆの構成を示す斜視図である。
【図３１】実施の形態としてのスピーカ装置１００Ｇの構成を示す概略的斜視図である。
【図３２】実施の形態としてのスピーカ装置１００Ｈの構成を示す概略的斜視図である。
【符号の説明】
【０１１１】
１００Ａ〜１００Ｄ，１００Ｆ〜１００Ｈ・・・スピーカ装置、１０１・・・ベース筐体、１０２，１０２Ｅ，１０２Ｆ，１０２Ｇ・・・パイプ、１０３・・・磁歪アクチュエータ、１０３ａ・・・駆動ロッド、１０４，１０４ａ〜１０４ｅ・・・スピーカユニット、１０５・・・開口部、１０６・・・脚部、１０７・・・Ｌ字アングル、１０８，１１２，１１３，１１５，１１６・・・ダンピング材、１１４・・・収納穴、１２１・・・加算器、１２２・・・ハイパスフィルタ、１２３，１２６・・・イコライザ、１２４-1〜１２４-4，１２８・・・アンプ、１２７・・・遅延回路、１２９-1〜１２９-4，１３０・・・ＤＳＰ、１３１・・・支持具、１３２・・・下部十字部材、１３３・・・上部十字部材、１３４・・・棒材、１４１ａ〜１４１ｄ，１４５ａ〜１４５ｅ・・・貫通孔、１４２，１４６・・・間仕切り板、１４３ａ〜１４３ｄ，１４７ａ〜１４７ｅ・・・小開口部
【図１】
2007214917.tif 000003
【図２】
2007214917.tif 000004
【図３】
2007214917.tif 000005
【図４】
2007214917.tif 000006
【図５】
2007214917.tif 000007
【図６】
2007214917.tif 000008
【図７】
2007214917.tif 000009
【図８】
2007214917.tif 000010
【図９】
2007214917.tif 000011
【図１０】
2007214917.tif 000012
【図１１】
2007214917.tif 000013
【図１２】
2007214917.tif 000014
【図１３】
2007214917.tif 000015
【図１４】
2007214917.tif 000016
【図１５】
2007214917.tif 000017
【図１６】
2007214917.tif 000018
【図１７】
2007214917.tif 000019
【図１８】
2007214917.tif 000020
【図１９】
2007214917.tif 000021
【図２０】
2007214917.tif 000022
【図２１】
2007214917.tif 000023
【図２２】
2007214917.tif 000024
【図２３】
2007214917.tif 000025
【図２４】
2007214917.tif 000026
【図２５】
2007214917.tif 000027
【図２６】
2007214917.tif 000028
【図２７】
2007214917.tif 000029
【図２８】
2007214917.tif 000030
【図２９】
2007214917.tif 000031
【図３０】
2007214917.tif 000032
【図３１】
2007214917.tif 000033
【図３２】
2007214917.tif 000034